(57)【要約】【課題】携帯機が車内に放置されることを抑止する携帯機放置警告装置を提供する。【解決手段】携帯機放置警告装置１１は、通信機能を有する携帯機１０と無線による相互通信を行い、車両に設けられるトランスポンダ用アンテナ２３を介して同トランスポンダ用アンテナ２３近傍の小領域に起動電波を送信し、起動電波により起動した携帯機１０から送信されるＩＤコードと、このＩＤコードに対応して予め記録されたＩＤコードとを照合する。トランスポンダ用アンテナ２３は、携帯機１０が車両に装着されていない状態での携帯機１０との相互通信を可能とする前記小領域に起動電波を送信するようになっている。携帯機放置警告装置１１は、前記小領域での携帯機１０との相互通信時に行われる照合の結果に基づくエンジン駆動後にユーザの降車の意志を検出したことをトリガとして、前記照合を再度行い、その照合が成立しなかったことを条件として表示器１４を作動させる。【選択図】      図１
2004352018.tif 000002
【特許請求の範囲】
【請求項１】
起動電波により誘導された起電力によって起動して通信動作を行う携帯機と無線による相互通信を行い、車両に設けられるトランスポンダ用アンテナを介して同トランスポンダ用アンテナの近傍となる小領域に前記起動電波を送信し、該起動電波により起動した前記携帯機から送信されるＩＤコードと、該ＩＤコードに対応して予め記録されたＩＤコードとを照合する制御手段を備えた携帯機放置警告装置において、
前記車両に設けられる報知手段を備え、
前記トランスポンダ用アンテナは、前記携帯機が車両に装着されていない状態での該携帯機との相互通信を可能とする前記小領域に前記起動電波を送信し、
前記制御手段は、該小領域での前記携帯機との相互通信時に行われる前記照合の結果に基づくエンジン駆動後にユーザの降車の意志を検出したことをトリガとして前記照合を再度行い、その照合が成立しなかったことを条件として前記報知手段を作動させることを特徴とする携帯機放置警告装置。
【請求項２】
前記報知手段は、前記トランスポンダ用アンテナが配設された箇所に設けられていることを特徴とする請求項１に記載の携帯機放置警告装置。
【請求項３】
前記制御手段は、エンジンを停止させるための操作が行われたことをもってユーザに降車の意志があると判断して前記照合を再度行い、その照合が成立しなかった場合には、該操作に基づくエンジンの停止を不可とすることを特徴とする請求項１または請求項２に記載の携帯機放置警告装置。
【請求項４】
前記制御手段は、前記報知手段の作動後、所定時間が経過したこと、または車両の所定操作が行われたことを条件として該報知手段の作動を停止させることを特徴とする請求項１〜３のいずれか１項に記載の携帯機放置警告装置。
【請求項５】
前記報知手段は、表示報知手段と音響報知手段とを備え、
前記制御手段は、前記小領域での前記携帯機との相互通信時に行われる前記照合の結果に基づくエンジン駆動後にユーザの降車の意志を検出したことをトリガとして前記表示報知手段を作動させ、その後のドア開時をトリガとして前記音響報知手段を作動させることを特徴とする請求項１〜４のいずれか１項に記載の携帯機放置警告装置。
【請求項６】
前記報知手段が作動された際に、ドアの開状態で車両に設けられた手動ドアロック操作部を操作した後に該ドアを閉じることで行われるドア錠の施錠を不可とする施錠制限手段を備えることを特徴とする請求項１〜５のいずれか１項に記載の携帯機放置警告装置。
【発明の詳細な説明】
【０００１】
【発明の属する技術分野】
本発明は、携帯機が車両内に放置されることを抑制する携帯機放置警告装置に関するものである。
【０００２】
【従来の技術】
自動車においては、その基本性能や安全性の向上はもとより、その操作性の向上が求められている。例えば、特許文献１に記載の車両用遠隔操作装置においては、スマートイグニッション装置の機能を備えることによって車両の操作性を向上させている。スマートイグニッション装置とは、スイッチ等を操作するだけでエンジンを始動させることができる装置である。詳しくは、スマートイグニッション装置は、携帯機との間で無線による相互通信を行い、携帯機から送信されるＩＤコードと車両に予め記録されたＩＤコードとを照合して両ＩＤコードが一致したことを条件にエンジンの始動を許可する。このエンジンの始動が許可された状態において、プッシュスイッチ等の始動操作部材を操作することによってエンジンを始動させることができる。
【０００３】
また、スマートイグニッション装置は、携帯機の電池が切れた場合、携帯機に内蔵されるトランスポンダを駆動するための起動エネルギーを、車両に配設されたトランスポンダ用アンテナを介して電波（以下、この目的の電波を「起動電波」という）により供給する。詳しくは、スマートイグニッション装置は、トランスポンダ用アンテナを介して同トランスポンダ用アンテナの近傍となる小領域（トランスポンダ用アンテナから数ｃｍ離間した箇所までの領域）に起動電波を送信する。車両には携帯機を装着するためのスロットが設けられ、このスロットに携帯機を装着させることで携帯機が起動電波を確実に受信できるようになっている。トランスポンダは、アンテナを備えており、起動電波がこのアンテナを介して誘導する起電力によって起動し、予め記録されたＩＤコードを送信する。スマートイグニッション装置は、携帯機から送信されるＩＤコードをトランスポンダ用アンテナを介して受信すると、このＩＤコードと車両に予め記録されたＩＤコードとの照合を行い、両ＩＤコードが一致したことを条件にエンジンの始動を許可する。このように、スマートイグニッション装置は、携帯機の電池が切れた場合、携帯機をスロットに装着してＩＤコードの照合を行うことでエンジンを始動させることができる。
【０００４】
このようなスマートイグニッション装置において、携帯機の電池が切れるのは非日常的であり、携帯機をスロットに装着したまま降車してしまう確率が高い。そのため、スマートイグニッション装置は、ユーザの降車の意志を検出した際に、例えば駐車されドアが開かれた際に携帯機がスロットに装着されていることを検出すると、車内に携帯機が放置されるおそれがあると判断して、その旨を報知するようになっている。
【０００５】
【特許文献１】
特開２０００−１８５６２８号公報
【０００６】
【発明が解決しようとする課題】
ところが、携帯機をスロットに装着する動作はユーザにとって煩わしく、また、インストルメントパネル下部にスロットを設けることはコスト的にも不利となるため、スロットを廃止することが望ましい。こうした要望に応えるためには、前記小領域内に携帯機をかざすことによってＩＤコードの照合が行えるようにしたスマートイグニッション装置を実現することが考えられる。
【０００７】
しかし、前記小領域内に携帯機をかざすことによってＩＤコードの照合が行えるようにすると、ＩＤコードの照合後に携帯機は小領域内から離間されるため、スマートイグニッション装置は、ユーザが携帯機を所持しているか否かを判別することができなくなる。それゆえ、スマートイグニッション装置は、ユーザの降車の意志を検出した際にユーザが携帯機を所持しているか否かを特定できず、車内に携帯機が放置されている旨を報知することができない。したがって、携帯機を車内に放置したままユーザが車両から離間したり、携帯機が車両に存在するにも関わらずドア錠を施錠してしまうおそれがある。
【０００８】
本発明は、こうした実情に鑑みてなされたものであり、その目的は、携帯機が車内に放置されることを抑止する携帯機放置警告装置を提供することにある。
【０００９】
【課題を解決するための手段】
上記の課題を解決するために、請求項１に記載の発明は、起動電波により誘導された起電力によって起動して通信動作を行う携帯機と無線による相互通信を行い、車両に設けられるトランスポンダ用アンテナを介して同トランスポンダ用アンテナの近傍となる小領域に前記起動電波を送信し、該起動電波により起動した前記携帯機から送信されるＩＤコードと、該ＩＤコードに対応して予め記録されたＩＤコードとを照合する制御手段を備えた携帯機放置警告装置において、前記車両に設けられる報知手段を備え、前記トランスポンダ用アンテナは、前記携帯機が車両に装着されていない状態での該携帯機との相互通信を可能とする前記小領域に前記起動電波を送信し、前記制御手段は、該小領域での前記携帯機との相互通信時に行われる前記照合の結果に基づくエンジン駆動後にユーザの降車の意志を検出したことをトリガとして前記照合を再度行い、その照合が成立しなかったことを条件として前記報知手段を作動させることを要旨とした。
【００１０】
請求項２に記載の発明では、前記報知手段は、前記トランスポンダ用アンテナが配設された箇所に設けられていることを特徴とする請求項１に記載の携帯機放置警告装置。
【００１１】
請求項３に記載の発明では、前記制御手段は、エンジンを停止させるための操作が行われたことをもってユーザに降車の意志があると判断して前記照合を再度行い、その照合が成立しなかった場合には、該操作に基づくエンジンの停止を不可とすることを要旨とした。
【００１２】
請求項４に記載の発明では、前記制御手段は、前記報知手段の作動後、所定時間が経過したこと、または車両の所定操作が行われたことを条件として該報知手段の作動を停止させることを要旨とした。
【００１３】
請求項５に記載の発明では、前記報知手段は、表示報知手段と音響報知手段とを備え、前記制御手段は、前記小領域での前記携帯機との相互通信時に行われる前記照合の結果に基づくエンジン駆動後にユーザの降車の意志を検出したことをトリガとして前記表示報知手段を作動させ、その後のドア開時をトリガとして前記音響報知手段を作動させることを要旨とした。
【００１４】
請求項６に記載の発明では、前記報知手段が作動された際に、ドアの開状態で車両に設けられた手動ドアロック操作部を操作した後に該ドアを閉じることで行われるドア錠の施錠を不可とする施錠制限手段を備えることを要旨とした。
【００１５】
以下、本発明の作用について説明する。
請求項１に記載の発明によると、制御手段は、携帯機との相互通信が小領域で行われた場合、エンジン駆動後にユーザの降車の意志を検出したことをトリガとしてＩＤコードの照合を再度行い、その照合が不成立の場合に報知手段を作動させる。携帯機を小領域内にかざすことによってＩＤコードの照合が行われた場合、その後携帯機は小領域内から離間される。携帯機が小領域内から離間されると、携帯機と携帯機放置警告装置との間の相互通信は不確立となり、ＩＤコードの照合を行っても照合不成立となるため、制御手段は携帯機の位置を検出することができない。つまり、ユーザの降車の意志を検出したときに制御手段は、携帯機が車内に載置されているのか、ユーザに所持されているのかを判別することはできない。そのため、制御手段は、エンジン駆動後にユーザの降車の意志を検出したことをトリガとしてＩＤコードの照合を再度行い、その照合が成立しない場合には携帯機が車内に放置されている可能性があるとして報知手段を作動させる。ユーザは、報知手段による報知によって携帯機の所持を再確認することを喚起される。したがって、エンジン駆動後にユーザの降車の意志を検出したことをトリガとしてＩＤコードの照合を再度行い、ユーザが携帯機を所持していることを認識できない場合には報知手段を作動させることで携帯機が車内に放置されることを抑止できる。
【００１６】
一方、制御手段は、エンジン駆動後にユーザの降車の意志を検出した時や検出後にＩＤコードの照合が成立した場合、報知手段を作動させない。このときＩＤコードの照合を成立させるためには、ユーザは必ず携帯機を所持する必要があるため、この検出した時や検出後の照合をもって制御手段はユーザが携帯機を所持していることを認識することができる。このように、制御手段は、ユーザが携帯機を確実に所持している際には無駄な報知を行わない。したがって、携帯機が車内に放置されるおそれがあるときにのみ報知手段を作動させることができる。
【００１７】
請求項２に記載の発明によると、報知手段は、トランスポンダ用アンテナが配設された箇所に設けられているため、ユーザは携帯機をかざす位置を認知し易い。よって、携帯機放置警告装置の利便性を向上させることができる。
【００１８】
請求項３に記載の発明によると、ユーザが降車しようとしてエンジンを停止させるための操作を行ったとしても、携帯機が車内に放置されているおそれがある場合にはエンジンを停止させることができない。この場合、ユーザは携帯機を所持し、トランスポンダ用アンテナの近傍となる小領域に携帯機をかざしてＩＤコードの照合を行う必要がある。したがって、携帯機が車内に放置されることを一層抑止できる。
【００１９】
請求項４に記載の発明によると、制御手段は、報知手段の作動後、所定時間が経過したこと、または車両の所定操作が行われたことを条件として報知手段の作動を停止させる。このため、ユーザは、例えばドアを開く操作等の降車時に行われる操作を前記所定操作として設定すれば、ユーザは、専用のスイッチを操作する等の煩雑な操作を行うことなく報知手段を停止させることができる。また、何ら操作を行わない場合には、所定時間が経過すると報知手段の作動が自動的に停止される。したがって、携帯機放置警告装置の利便性を向上させることができる。
【００２０】
請求項５に記載の発明によると、制御手段は、ユーザの降車の意志を検出したとき表示報知手段を作動させ、その後のドア開時をトリガとして音響報知手段を作動させる。このように、制御手段は、まずは表示報知手段により視覚的に携帯機が放置されていることを警告し、その後ドア開をトリガとして、音響報知手段により聴覚的に携帯機が放置されていることを警告する。このため、携帯機が放置されていることをユーザが認識せず、表示報知手段による警告に気付かなかったとしても、その後に、別の報知手段である音響報知手段により再度警告することができる。一方、ユーザが携帯機の放置を認識している場合には、表示報知手段による第１段階目の警告のみで済む。このように、２種類の報知手段によって携帯機の放置を段階的に警告するため、ユーザは携帯機の放置を一層認識し易くなる。したがって、携帯機が車内に放置されることを一層抑止できる。
【００２１】
請求項６に記載の発明によると、施錠制限手段は、ドアの開状態で車両に設けられた手動ドアロック操作部を操作した後にドアを閉じることで行われるドア錠の施錠を不可とする。すなわち、ドアが開かれた状態で手動ドアロック操作部を操作し、その後ドアを閉じてもドア錠は施錠されない。この場合、ドア錠を施錠するためには、携帯機を用いての操作等が必要とされるため、ユーザに携帯機を確実に所持させることができる。したがって、携帯機が車内に放置されることを抑止するとともに、手動ドアロックによって車内に携帯機が放置されることを防止できる。
【００２２】
【発明の実施の形態】
以下、本発明の携帯機放置警告装置を具体化した一実施形態を図１〜図４にしたがって説明する。
【００２３】
図１に示すように、携帯機放置警告システム１は、ユーザに所持され、通信機能を有する携帯機１０と、車両２に搭載される携帯機放置警告装置１１とから構成されている。
【００２４】
携帯機１０は、図示しない、携帯機側マイクロコンピュータ、携帯機側送信回路、携帯機側受信回路、トランスポンダを備えている。トランスポンダは図示しないアンテナを備えている。携帯機１０は、携帯機放置警告装置１１から送信されるリクエスト信号を受信すると、リクエスト信号に対する返答として、予め設定されたＩＤコードを含むスマートＩＤ信号を所定周波数の電波に変調して送信する。また、トランスポンダは、携帯機放置警告装置１１から送信される起動電波がアンテナを介して誘導する起電力によって起動し、予め設定されたＩＤコードを含むトラポンＩＤ信号を所定周波数の電波に変調して送信する。このように、トランスポンダは、携帯機１０に内蔵された電池を必要としないため、例えば携帯機１０の電池が切れた場合等に起動されるようになっている。
【００２５】
携帯機放置警告装置１１は、送受信部１２、制御手段及び施錠制限手段としてのマイクロコンピュータ（マイコン）１３、報知手段及び表示報知手段としての表示器１４、報知手段及び音響報知手段としてのブザー１５を備えている。また、携帯機放置警告装置１１には、ドアカーテシスイッチ１６、ドア錠制御部１７、オルタネータ１８が電気的に接続されている。詳しくは、送受信部１２、表示器１４、ブザー１５、ドアカーテシスイッチ１６、ドア錠制御部１７、オルタネータ１８はそれぞれマイコン１３に電気的に接続されている。
【００２６】
送受信部１２は、スマート用受信アンテナ１９、スマート用受信回路２０、スマート用送信アンテナ２１、スマート用送信回路２２、トランスポンダ用アンテナ２３、トランスポンダ用送受信回路２４から構成される。
【００２７】
スマート用送信回路２２は、マイコン１３から入力されるリクエスト信号を所定の周波数に変調してスマート用送信アンテナ２１を介して送信する。
スマート用受信回路２０は、リクエスト信号に対する応答として携帯機１０から送信されるスマートＩＤ信号をスマート用受信アンテナ１９を介して受信可能となっている。スマート用受信回路２０は、このスマートＩＤ信号をパルス信号に復調してマイコン１３に出力する。
【００２８】
トランスポンダ用送受信回路２４は、所定の条件でマイコン１３から出力されるトランスポンダ起動信号を所定周波数の電波に変換してトランスポンダの起動電波を生成し、トランスポンダ用アンテナ２３を介して送信する。また、トランスポンダ用送受信回路２４は、トランスポンダ用アンテナ２３を介して、携帯機１０から送信されるトラポンＩＤ信号を受信可能となっている。トランスポンダ用送受信回路２４は、トラポンＩＤ信号を受信すると、トラポンＩＤ信号をパルス信号に復調してマイコン１３に出力する。
【００２９】
図２に示すように、本実施形態においてスマート用受信アンテナ１９及びスマート用送信アンテナ２１は車両２の中央に、トランスポンダ用アンテナ２３はステアリング右側近傍のダッシュボード上にそれぞれ配設されている。そして、リクエスト信号は車両２の室内におけるスマート領域Ａに送信され、起動電波は、携帯機１０が車両２に装着されていない状態、すなわち携帯機１０がかざされた状態での携帯機１０との相互通信を可能とするトラポン領域Ｂ（小領域）に送信されるようになっている。このトラポン領域Ｂは、トランスポンダ用アンテナ２３の近傍に設定され、トランスポンダ用アンテナ２３から数ｃｍ程度（例えば、２〜８ｃｍ）離間した箇所が通信限界箇所となるように設定されており、スマート領域Ａに比べて極めて狭い領域となっている。
【００３０】
表示器１４は、本実施形態においては、図２に示すように、インストルメントパネル上の視認し易い位置に設けられている。また、表示器１４は、プッシュスイッチ等の始動操作部材やキーシリンダ付近の視認し易い位置に設けられてもよい。表示器１４は、表示器１４を作動させる旨の信号（以下「ＩＮＤ信号」という）がマイコン１３から入力されると、所定時間間隔毎に点滅、または所定の文字を表示するようになっている。
【００３１】
ブザー１５は、ブザー駆動回路を備え、本実施形態においては、図２に示すように、ダッシュボード上の運転席側ドア近傍に設けられている。ブザー１５は、ブザー１５を作動させる旨の信号（以下「アラーム信号」という）がマイコン１３から入力されると、アラーム信号が入力されている間にわたって鳴動するようになっている。
【００３２】
ドアカーテシスイッチ１６は、ドアの開閉状態を検出するスイッチであり、この検出信号をマイコン１３に対して出力する。
ドア錠制御部１７は、マイコン１３からの指令に基づいて、車両２外のドアノブ３に設けられたロックスイッチ４（手動ドアロック操作部）の操作によりアクチュエータを制御する。詳しくは、ドア錠制御部１７は、ロックスイッチ４の操作を無効にする旨の信号（以下「手動ドアロック無効信号」という）がマイコン１３から入力された場合、ロックスイッチ４が操作されてもアクチュエータを駆動しない。つまり、ドア錠の施錠ができないようにする。一方、ドア錠制御部１７は、手動ドアロック無効信号がマイコン１３から入力されないときは、ロックスイッチ４が操作された際にアクチュエータを駆動してドア錠の施錠を行うようになっている。
【００３３】
オルタネータ１８は、エンジンが駆動されると、その駆動力を利用して発電する発電機であり、図示しないインタフェース回路を備えている。このオルタネータ１８は、発電の有無を示す信号、すなわち、エンジンが駆動されているか否かを示す旨の信号をマイコン１３に対して出力するようになっている。
【００３４】
マイコン１３は、図示しないＣＰＵ、ＲＯＭ、ＲＡＭ等からなるＣＰＵユニットであり、図示しないカウンタと不揮発性のメモリとを備えている。メモリには、表示器１４を点滅させる最大時間（時間Ｔ１）とブザー１５を鳴動させる最大時間（時間Ｔ２）とが予め記録されている。また、メモリには、予め設定されたスマート用ＩＤコードとトラポン用ＩＤコードとが記録されている。マイコン１３は、スマートＩＤ信号の返信を要求する旨のリクエスト信号をスマート用送信回路２２に対して間欠的に出力する（通常モード）。また、マイコン１３は、例えば所定の操作部が操作されたことなどをトリガとして通常モードから緊急モードに切り換わり、トランスポンダ用送受信回路２４に対してトランスポンダ起動信号を出力するようになっている。マイコン１３は、スマートＩＤ信号またはトラポンＩＤ信号が入力されると、これらＩＤ信号中のＩＤコードと、メモリに予め記録されたスマート用ＩＤコードまたはトラポン用ＩＤコードとを比較する。そして、マイコン１３は、対応するＩＤコード同士が一致したことを条件として、図示しないエンジン始動制御装置に対してＩＤ一致信号を出力する。なお、以下、トラポンＩＤ信号中のＩＤコードとトラポン用ＩＤコードとを比較することを「トラポン照合」という。
【００３５】
エンジン始動制御装置は、ＩＤ一致信号が入力されるとエンジンの始動を許可するようになっている。このエンジンの始動が許可された状態において、プッシュスイッチ等の始動操作部材を操作することによってエンジンが始動される。
【００３６】
また、マイコン１３は、トラポン領域Ｂ内においてトラポン照合が成立してエンジンが駆動された後、ユーザの降車の意志を検出したことをトリガとしてトランスポンダ起動信号を出力してトラポン照合を再度行う。例えば、マイコン１３は、駐車されたこと、車両２のドアが開かれたこと、キーがイグニッションオフの位置に切り換えられたこと、キーがキーシリンダから抜かれたこと、降車にともなってユーザがシートから離れたこと等からユーザの降車の意志を検出する。本実施形態においてマイコン１３は、駐車されてエンジンが停止されたとき、ユーザに降車の意志があると判断している。詳しくは、マイコン１３は、発電されていない旨を示す信号がオルタネータ１８から入力されたこと、シフトレバーがパーキングポジションに移動された旨を示すＰ位置検出信号が入力されたこと、車両２の走行速度が「０」である旨を示す車速検出信号が入力されたことに基づいて駐車されたと判断している。そして、こうした駐車時にトラポン照合が成立しない場合、マイコン１３は、ＩＮＤ信号を表示器１４に対して出力するとともに、ＩＮＤ信号を出力してからの経過時間をタイマによって計時する。
【００３７】
その後、マイコン１３は、ＩＮＤ信号を出力してから時間Ｔ１以内にドアカーテシスイッチ１６からドアが開かれた旨の検出信号（以下「ドア開信号」という）が入力された場合、表示器１４に対するＩＮＤ信号の出力を停止する。また、このドア開信号が入力されると、マイコン１３は、アラーム信号をブザー１５に対して出力するとともに、手動ドアロック無効信号をドア錠制御部１７に対して出力する。
【００３８】
一方、ＩＮＤ信号を出力してから時間Ｔ１以内に、トラポン領域Ｂ内に携帯機１０をかざすことによってトラポン照合が行われ、このトラポン照合が成立した場合、マイコン１３はＩＮＤ信号の出力を停止し、その後ドア開信号が入力されてもアラーム信号及び手動ドアロック無効信号を出力しない。また、ＩＮＤ信号を出力してから時間Ｔ１以内にドア開信号が入力されない場合、マイコン１３は、ＩＮＤ信号を出力してから時間Ｔ１が経過した時点において、ＩＮＤ信号の出力を停止する。
【００３９】
アラーム信号を出力した後、マイコン１３は、アラーム信号を出力してから時間Ｔ２以内にドアカーテシスイッチ１６からドアが閉められた旨の検出信号（以下「ドア閉信号」という）が入力されると、アラーム信号の出力を停止するとともに、ドア錠制御部１７に対する手動ドアロック無効信号の出力を停止する。また、アラーム信号を出力してから時間Ｔ２以内に、トラポン領域Ｂ内に携帯機１０をかざすことによってトラポン照合が行われ、このトラポン照合が成立した場合、マイコン１３はアラーム信号の出力を停止するとともに、ドア錠制御部１７に対する手動ドアロック無効信号の出力を停止する。このため、ロックスイッチ４の操作に基づくドア錠の施錠が可能となる。
【００４０】
次に、携帯機１０の電池切れ等により、トラポン照合でエンジンが始動された場合において、携帯機放置警告装置１１による携帯機１０の置き忘れ報知態様例を図３及び図４にしたがって説明する。
【００４１】
ユーザが携帯機１０をトラポン領域Ｂ内にかざすと、携帯機１０と携帯機放置警告装置１１との間で相互通信が確立し、トラポン照合が行われる。そして、トラポン照合が成立するとエンジンの始動が許可され、プッシュスイッチ等の始動操作部材を操作することによってエンジンが始動する。
【００４２】
その後、図３にポイントＰ１で示すように、駐車し、エンジンを停止させた時点において、例えば、図２に示すようにトラポン領域Ｂ外となる位置に携帯機１０が載置されている場合、携帯機１０と携帯機放置警告装置１１との間でトラポン照合が成立しないため、表示器１４が点滅する。
【００４３】
そして、表示器１４が点滅してから時間Ｔ１以内にドアが開けられると、ポイントＰ２で示すように、表示器１４は消灯するとともに、ブザー１５が鳴動する。また、このとき、ロックスイッチ４の操作に基づくドア錠の施錠が無効とされ、ロックスイッチ４を操作してもドア錠を施錠することはできない。
【００４４】
ところで、ポイントＰ３で示すように、表示器１４が点滅してから時間Ｔ１以内にドアが開けられない場合、その時間Ｔ１が経過した時点で表示器１４は自動的に消灯する。
【００４５】
また、表示器１４が点滅し始めてから時間Ｔ１以内において、トラポン領域Ｂ内に携帯機１０をかざしてトラポン照合を行い、このトラポン照合が成立した場合、図４に示すポイントＰ５において表示器１４は消灯する。また、これ以降ブザー１５は鳴動しない。
【００４６】
ブザー１５が鳴動してから時間Ｔ２以内にドアが閉められると、図３に示すポイントＰ４に示すように、ブザー１５の鳴動が停止する。それとともに、ロックスイッチ４の操作が有効となり、ロックスイッチ４を操作することでドア錠を施錠することができる。
【００４７】
また、ブザー１５が鳴動してから時間Ｔ２以内において、トラポン領域Ｂ内に携帯機１０をかざしてトラポン照合を行い、このトラポン照合が成立した場合、ブザー１５の鳴動が停止するとともに、ロックスイッチ４の操作が有効となる。
【００４８】
したがって上記実施形態のリモート携帯機によれば、以下のような効果を得ることができる。
（１）マイコン１３は、携帯機１０との相互通信がトラポン領域Ｂ内で行われた場合、エンジン駆動後に駐車され、エンジンが停止したときに、再度トラポン照合を行い、このトラポン照合が不成立の場合には表示器１４を作動させる。携帯機１０をトラポン領域Ｂ内にかざすことによってトラポン照合が行われた場合、その後携帯機１０はトラポン領域Ｂ内から離間されるため、エンジン駆動後に駐車され、エンジンが停止したときに、再度トラポン照合を行うと照合不成立となる。このとき、マイコン１３は、携帯機１０が車内に載置されているのか、ユーザに所持されているのかを判別することはできない。そのため、マイコン１３は、エンジン駆動後にユーザの降車の意志を検出したときにトラポン照合が成立しない場合、携帯機１０が車内に放置されている可能性があるとして表示器１４にＩＮＤ信号を出力する。表示器１４は、ＩＮＤ信号がマイコン１３から入力されると、所定時間間隔毎に点滅、または所定の文字を表示するようになっている。このように表示器１４が作動されることによって、ユーザは携帯機１０の所持を再確認することを喚起される。したがって、エンジン駆動後にユーザの降車の意志を検出したことをトリガとして再度トラポン照合を行い、このときユーザが携帯機１０を所持していることを認識できない場合には表示器１４を作動させることで携帯機１０が車内に放置されることを抑止できる。また、表示器１４はインストルメントパネル上、またはプッシュスイッチやキーシリンダ付近のユーザが視認し易い位置に設けられているため、ユーザは、表示器１４の点滅または文字の表示による報知を容易に認識できる。
【００４９】
一方、マイコン１３は、エンジン駆動後にユーザの降車の意志を検出した時や検出後にトラポン領域Ｂ内に携帯機１０がかざされ、トラポン照合が成立した場合には表示器１４を作動させない。このトラポン領域Ｂは、トランスポンダ用アンテナ２３から数ｃｍ程度（例えば、２〜８ｃｍ）離間した箇所が通信限界箇所となるように設定されており、極めて狭い領域となっている。このため、トラポン照合を成立させるためには、ユーザは必ず携帯機１０を所持する必要がある。それゆえ、この検出した時や検出後のトラポン照合をもってマイコン１３はユーザが携帯機１０を所持していることを認識することができる。このように、マイコン１３は、ユーザが携帯機１０を確実に所持している際には無駄な報知を行わない。したがって、携帯機１０が車内に放置されるおそれがあるときにのみ表示器１４を作動させることができる。
【００５０】
（２）携帯機放置警告装置１１は、表示器１４を点滅させた後、時間Ｔ１が経過したこと、ドアが開かれたことを条件として表示器１４を消灯させる。また、マイコン１３は、ブザー１５を鳴動させた後、時間Ｔ２が経過したこと、ドアが閉じられたことを条件としてブザー１５の鳴動を停止させる。このため、ユーザは、降車時に必ず行われる車両の所定操作（ドアを開くこと、またはドアを閉じること）を行ったときに表示器１４を消灯させたりブザー１５の鳴動を停止させたりすることができる。また、こうした操作が行われない場合には、所定時間が経過することで表示器１４及びブザー１５の作動が自動的に停止する。このように、表示器１４を消灯させるための専用スイッチ等や、ブザー１５の鳴動を停止させるための専用スイッチ等を操作することなく表示器１４やブザー１５による警告を停止させることができる。したがって、携帯機放置警告装置１１の利便性を向上させることができる。
【００５１】
（３）携帯機放置警告装置１１は、駐車され、エンジンが停止すると、まずは表示器１４の点滅により視覚的に携帯機１０の放置を警告し、その後ドア開をトリガとして、ブザー１５の鳴動により聴覚的に携帯機１０の放置を警告する。つまり、携帯機放置警告装置１１は、表示器１４の点滅による警告を行っても、表示器１４の点滅が停止されない場合には、ユーザが表示器１４の点滅による警告に気付いていないとして、ブザー１５の鳴動により携帯機１０の放置について再度警告を行うようになっている。このように、表示器１４の点滅とブザー１５の鳴動といった２種類の警告方法によって携帯機１０の放置を段階的に警告するため、ユーザは携帯機１０が放置されていることを認識し易い。よって、携帯機１０が車内に放置されることを一層抑止することができる。また、エンジン停止時には表示器１４の点滅による報知のみが行われるためユーザに煩わしさを感じさせない。よって、携帯機放置警告装置１１の利便性を向上させることができる。
【００５２】
（４）携帯機放置警告装置１１は、表示器１４を点滅させてから時間Ｔ１以内にドアが開かれると、ロックスイッチ４の操作に基づくドア錠の施錠を無効にする。ユーザは、トラポン領域Ｂ内に携帯機１０をかざしてトラポン照合を行うか、携帯機１０に内蔵されたメカキー等を使用しないとドア錠を施錠することができない。つまり、ユーザは、ドア錠を施錠するには携帯機１０を所持する必要がある。したがって、ユーザに携帯機１０を確実に所持させることができるため、携帯機１０が車内に放置されることを抑止することができる。また、車内に携帯機１０を載置したままロックスイッチ４を操作して施錠を行った後にドアを閉めることにより発生するインロック（車内に携帯機が載置されたままドア錠が施錠されること）を防止できる。
【００５３】
（５）携帯機放置警告装置１１は、表示器１４を点滅させてから時間Ｔ１以内にトラポン照合が行われることによって表示器１４を消灯させる。また、携帯機放置警告装置１１は、ブザー１５を鳴動させてから時間Ｔ２以内にトラポン照合が行われることによってブザー１５の鳴動を停止させる。このため、ユーザは、携帯機放置警告装置１１による警告が行われても、トラポン領域Ｂ内に携帯機１０をかざしてトラポン照合を行うことによりこれら携帯機放置警告装置１１の警告を停止させることができる。この場合、ユーザは確実に携帯機１０を所持している。したがって、ユーザが確実に携帯機１０を所持しているときには警告を行わせないようにすることで、携帯機放置警告装置１１の利便性を向上させることができる。
【００５４】
（６）携帯機放置警告装置１１は、エンジン停止後、トラポン照合が成立しない場合、車内に携帯機１０が放置されていることについて警告を行うようになっている。例えば、携帯機１０をトラポン領域Ｂ内でかざすことによってトラポン照合が行われる場合、携帯機を装着するためのスロットは設けられていないため、トラポン照合後において携帯機１０はトラポン領域Ｂ外の位置に載置される。すなわち、携帯機１０が車内に放置されるおそれが高くなる。携帯機放置警告装置１１は、トラポン領域Ｂ内においてトラポン照合が成立しない場合、車内に携帯機１０が放置されていることについて警告を行うため、かざすことによって行われるトラポン照合においては、こうした報知が特に有効となる。
【００５５】
なお、本実施形態は以下のように変更してもよい。
・表示器１４またはブザー１５は、トランスポンダ用アンテナ２３が配設された箇所、すなわちトラポン照合が行われる箇所に設けられてもよい。例えば、表示器１４またはブザー１５は、トラポン領域Ｂ内に配設されてもよい。こうすれば、ユーザは携帯機１０をかざす位置を認知し易くなる。また、トランスポンダ用アンテナ２３は、ユーザが携帯機１０を所持したままトラポン照合が行え、かつプッシュスイッチ等の始動操作部材を操作することができる位置に配設されてもよい。すなわち、トランスポンダ用アンテナ２３は、始動操作部材に近接する位置に配設されてもよい。こうすれば、ユーザは片手に携帯機１０を所持した状態で、トラポン照合と始動操作部材の操作が行える。したがって、携帯機放置警告装置１１の利便性を向上させることができる。
【００５６】
・携帯機放置警告装置１１は、車両２の非走行状態において、エンジンを停止させるための操作が行われたとき、ユーザに降車の意志があると判断してもよい。つまり、携帯機放置警告装置１１は、トラポン照合に基づくエンジンの駆動状態において、前記Ｐ位置検出信号と車両２の走行速度が「０」である旨を示す車速検出信号とが入力されている状態で、エンジンを停止させるための操作が行われたとき、トラポン照合を再度行うように変更されてもよい。そして、携帯機放置警告装置１１は、このトラポン照合が不成立の場合、表示器１４を作動させるとともにエンジンの駆動を維持し、トラポン照合が成立した場合にはエンジンを停止させる旨の信号を出力するように変更されてもよい。なお、エンジンを停止させるための操作とは、エンジンを停止させるための操作態様でプッシュスイッチ等の始動操作部材を操作することを指す。この場合、携帯機放置警告装置１１には始動操作部材が電気的に接続され、携帯機放置警告装置１１は始動操作部材の操作を検出するように変更される。また、エンジン始動制御装置は、エンジンを停止させる旨の信号が入力されるとエンジンを停止させるように変更される。
【００５７】
こうすれば、ユーザが降車のために始動操作部材を操作してエンジンを停止させようとしても、携帯機１０が車内に放置されているおそれがある場合にはエンジンを停止させることができない。この場合、ユーザは携帯機１０を所持し、トラポン領域Ｂ内に携帯機１０をかざしてトラポン照合を行う必要がある。このとき、ユーザは確実に携帯機１０を所持している。したがって、報知手段を作動させている間はエンジンの駆動を維持することで、ユーザに携帯機の所持を喚起させ、携帯機が車内に放置されることを一層抑止できる。
【００５８】
・携帯機放置警告装置１１は、トラポン照合が成立し、エンジンが駆動された後に駐車されたとき再度トラポン照合を行い、このトラポン照合が成立しない場合、表示器１４を点滅させる代わりに、例えばハザードランプを点滅させてもよい。また、マイコン１３は、表示器１４を点滅させた後にドアが開かれた場合、ブザー１５を鳴動させる代わりに、例えばフォーンを鳴動させてもよい。このようにすれば、表示器１４やブザー１５を車両２に新たに設ける必要がないため、携帯機放置警告装置１１を簡単に構成することができる。つまり、報知手段は、本実施形態における表示器１４やブザー１５に限られない。
【００５９】
・携帯機放置警告装置１１は、表示器１４を点滅させた後、例えばドア錠が施錠されることにより表示器１４を消灯するように変更されてもよい。つまり、表示器１４を消灯するトリガは、ドアが開けられたこと、トラポン照合が行われたことに限られない。
【００６０】
・携帯機放置警告装置１１は、ブザー１５を鳴動させた後にドア錠が施錠されることによりブザー１５の鳴動を停止するように変更されてもよい。つまり、ブザー１５の鳴動を停止するトリガは、ドアが閉められたこと、トラポン照合が行われたことに限られない。
【００６１】
・本実施形態において、マイコン１３は、ドアカーテシスイッチ１６から入力されるドア開信号、またはドア閉信号からドアが開状態か閉状態かを判断していた。しかし、ドアの開閉を検知する専用のスイッチを車両に設け、マイコン１３は、この専用スイッチからの検知信号に基づいてドアが開状態か閉状態かを判断してもよい。
【００６２】
・携帯機放置警告装置１１は、表示器１４を点滅させた後にドアが開けられた場合、表示器１４を消灯し、ブザー１５を鳴動させていた。しかし、携帯機放置警告装置１１は、表示器１４を点滅させた後にドアが開けられた場合、表示器１４の点滅を継続させ、新たにブザー１５を鳴動させるように変更されてもよい。すなわち、携帯機放置警告装置１１は、表示器１４を点滅させた後にドアが開けられた場合、表示器１４の点滅とブザー１５の鳴動とを同時に行うように変更されてもよい。そして、携帯機放置警告装置１１は、ブザー１５を鳴動させた後にドアが閉められたとき、表示器１４を消灯させるとともにブザー１５の鳴動を停止させるように変更されてもよい。こうすれば、表示器１４の点滅による警告に気付かないでドアを開けた場合、表示器１４の点滅とブザー１５の鳴動とによる警告が行われるため、ユーザは車内に携帯機１０が放置されていることについて一層認識し易くなる。このように、携帯機放置警告装置１１が表示器１４を消灯させる時点は、ドアが開かれた時点、時間Ｔ１が経過した時点に限られない。
【００６３】
・携帯機放置警告装置１１は、表示器１４を点滅させた後にドアが開けられた時点でブザー１５を鳴動させていた。しかし、携帯機放置警告装置１１は、表示器１４を点滅させた後にドアが開けられた時点でブザー１５を鳴動させなくてもよい。例えば、携帯機放置警告装置１１は、表示器１４を点滅させた後、所定時間経過後にブザー１５を鳴動させるように変更されてもよい。つまり、携帯機放置警告装置１１がブザー１５を鳴動させる時点は、表示器１４を点滅させた後にドアが開かれた時点に限られない。
【００６４】
・携帯機放置警告装置１１は、トラポン照合が成立してエンジンが駆動された後に駐車されたとき、再度トラポン照合を行い、このトラポン照合が成立しない場合に表示器１４の点滅による警告とブザー１５の鳴動による警告とを同時に行うように変更されてもよい。こうすれば、ユーザは車内に携帯機１０が放置されていることについて一層認識し易くなる。
【００６５】
・携帯機放置警告装置１１は、表示器１４の点滅による警告を行わないように変更されてもよい。すなわち、携帯機放置警告装置１１は、トラポン照合が成立してエンジンが駆動された後に駐車されたとき、再度トラポン照合を行い、このトラポン照合が成立しない場合にブザー１５の鳴動のみによって車内に携帯機１０が放置されていることを警告するように変更されてもよい。
【００６６】
・携帯機放置警告装置１１は、イモビ警告手段を備え、エンジン始動操作時にスマート照合が不成立の場合にイモビ警告手段（例えば、表示器）を作動させてトラポン照合を促すように変更されてもよい。そして、携帯機放置警告装置１１は、トラポン照合によりエンジンが駆動された場合、エンジン駆動中もイモビ警告手段を作動させるように変更されてもよい。こうすれば、トラポン領域Ｂ内でトラポン照合が行われたことをエンジン駆動中にもユーザに報知することができる。このため、ユーザは、車両２を駐車させた際に、携帯機１０を所持してトラポン照合を行う必要性があることを認識できる。したがって、トラポン照合後に携帯機１０がスロット等に装着されない場合、例えば、トラポン領域Ｂ内で携帯機１０をかざすことでトラポン照合が行われる場合には、こうした報知が特に有効となる。
【００６７】
・本実施形態において、携帯機放置警告装置１１は、エンジンが停止された時点をもって駐車されたと判断していた。しかし、携帯機放置警告装置１１は、プッシュスイッチやノブ等の始動操作部材がイグニッションオフの位置に切り換えられたことをもって駐車されたと判断するように変更されてもよい。つまり、携帯機放置警告装置１１が駐車されたと判断する時点は、エンジンが停止された時点に限られない。
【００６８】
次に、本実施形態及び他の実施形態から把握できる技術的思想について以下に追記する。
（１）請求項１〜６に記載の携帯機放置警告装置において、前記制御手段は、前記報知手段を作動させた後、ドア錠がロックされることをトリガとして前記報知手段の作動を停止させること。
【００６９】
（２）請求項１〜６に記載の携帯機放置警告装置において、前記制御手段は、前記報知手段を作動させた後、前記照合が成立したことをトリガとして前記報知手段の作動を停止させること。
【００７０】
（３）請求項６に記載の携帯機放置警告装置において、前記施錠制限手段は、前記ドア錠の施錠を不可とした後、前記照合が成立したことをトリガとして該ドア錠の施錠を可能にすること。
【００７１】
【発明の効果】
本発明によれば、携帯機が車内に放置されることを抑止する携帯機放置警告装置を提供することができる。
【図面の簡単な説明】
【図１】本実施形態における携帯機放置警告装置の概略ブロック図。
【図２】本実施形態における携帯機放置警告装置を備えた車両の概略構成図。
【図３】本実施形態における携帯機放置警告装置による携帯機の置き忘れ報知態様例を説明するためのタイミングチャート。
【図４】同じく携帯機放置警告装置による携帯機の置き忘れ報知態様例を説明するためのタイミングチャート。
【符号の説明】
２・・・車両、１０…携帯機、１１・・・携帯機放置警告装置、１４…制御手段及び施錠制限手段としてのマイクロコンピュータ、１５…報知手段及び表示報知手段としての表示器、１６…報知手段及び音響報知手段としてのブザー、２３・・・トランスポンダ用アンテナ。
【図１】
2004352018.tif 000003
【図２】
2004352018.tif 000004
【図３】
2004352018.tif 000005
【図４】
2004352018.tif 000006